(57)【要約】      （修正有）【課題】送受される包装体又は小包を配達するのに用いる容器であって、現用の包装体又は小包郵便物を収納するのにちょうど十分なより小さい容積を有するように自動的に調整されるような容器を提供する。【解決手段】容器は、家屋のドア１に固定することができ、ベース部材２と、郵便物を容器に挿入するか又は容器から取り出すことができる蓋部材３とを備え、ベース部材２及び蓋部材３は、折り畳み可能な側壁によって互いにつながっており、折り畳み可能な側壁は、展開状態において、固定部材７、特に、少なくとも１つの厚くなった部分を有するテキスタイルフラップが、ベース部材２において関節式に構成されたブラケット６を介してベース部材２において間接的に配置され、厚くなった部分は、ドアリーフとドアフレームとの間又はドアリーフと床との間の空隙に挿入することができる。【選択図】図１
2016055170.tif 000002
【特許請求の範囲】
【請求項１】
送受される包装体又は小包を配達するのに用いる容器であって、該容器は、特に構造上の妨げなく家屋のドア（１）に固定することができ、ベース部材（２）と、郵便物を該容器内に入れるか又は該容器から取り出すことができる蓋部材（３）とを備え、前記ベース部材（２）及び前記蓋部材（３）は、折り畳み可能な側壁（８、１１）によって互いにつながっており、前記蓋部材（３）及び前記ベース部材（２）は、前記側壁（８、１１）を折り畳むか又は少なくとも部分的に展開させることによって、互いに対して特に縦方向に移動可能であり、前記折り畳み可能な側壁（８、１１）は、展開状態において、前記ベース部材（３）と前記蓋部材（２）との間に縦に延びるテキスタイル管を形成し、該管は、少なくとも実質的に水平な矩形断面を有する内部スペースを画定することを特徴とする、容器。
【請求項２】
前記テキスタイル管は、前記ベース部材と前記蓋部材との間に垂直に延出する４つの折り線（１３）を有し、該線は、前記矩形断面の角部領域を画定し、特に、各折り線（１３）は、前記容器の内部に対して外側に面する、好ましくは縫合された折り線縁を有することを特徴とする、請求項１に記載の容器。
【請求項３】
少なくとも１つの対の対向する側壁（８）のうちの２つの側壁（８）、特に長い側壁（８）はそれぞれ、外側及び内側に面する、好ましくは縫合された連続した交互の折り線縁を有する、特に等間隔に離間した複数の水平折り線（９）を有し、特に、前記２つの側壁（８）は、Ｌｉｐｏｒｅｌｌｏ折り畳みを有することを特徴とする、請求項１又は２に記載の容器。
【請求項４】
第２の対の対向する側壁（１１）の２つの側壁（１１）、特に、短い側壁（１１）は、それぞれが外側に面する、好ましくは縫合された折り線縁を有する、特に等間隔に離間した複数の水平折り線（１２）をそれぞれ有し、これらの側壁（１１）のそれぞれは、少なくとも１つの領域（Ｄ１、Ｄ２、Ｄ３、Ｄ４、Ｄ５、Ｄ６）、好ましくは、縦方向に少なくとも２つの重なった領域（Ｄ１、Ｄ２、Ｄ３、Ｄ４、Ｄ５、Ｄ６）を有し、各該領域（Ｄ１、Ｄ２、Ｄ３、Ｄ４、Ｄ５、Ｄ６）は、領域中心点（１２ａ）において交差する２つの折り線（１４）を有し、該折り線（１４）も双方とも、水平折り線の前記中心点（１２ａ）と交差することを特徴とする、請求項１〜３のいずれか１項に記載の容器。
【請求項５】
第１の対の側壁（８）が水平折り線（９）を有する各高さにおいて、前記第２の対の側壁（１１）もまた水平線折り線（１２）を有することを特徴とする、請求項３又は４に記載の容器。
【請求項６】
前記テキスタイル側壁（８、１１）は、耐火性及び耐カット性の糸、特に、好ましくはＫｅｖｌａｒから完全に形成されるか又は少なくとも１つのＫｅｖｌａｒ層を有する複数の層を備えたＫｅｖｌａｒ糸を含むことを特徴とする、請求項１〜５のいずれか１項に記載の容器。
【請求項７】
前記テキスタイル管は、該テキスタイル管の底面側端部において、
ａ．  前記ベース部材（２）に結合されるテキスタイル面（８ａ）により閉鎖されるか、又は、
ｂ．  前記ベース部材に結合されるフレームに当接する、周方向に延びるループを形成するか、又は、
ｃ．  少なくとも１つのビーディングを有し、好ましくは各側壁がそれ自身のビーディングを有し、該ビーディングは、前記ベース部材に結合されたフレーム形状のビーディングレール内に載置されることを特徴とする、請求項１〜６のいずれか１項に記載の容器。
【請求項８】
前記テキスタイル管は、該テキスタイル管の蓋側端部において、
ａ．  前記蓋部材と関節式に接合されるフレーム（１１）に当接する、周方向に延びるループ（８ｂ）を形成するか、又は、
ｂ．  少なくとも１つのビーディングを有し、好ましくは各側壁（８、１１）がそれ自身のビーディングを有し、該ビーディングは、前記蓋部材（３）に関節式に結合されたフレーム形状のビーディングレール内に載置されることを特徴とする、請求項１〜７のいずれか１項に記載の容器。
【請求項９】
前記ベース部材（２）は、前記縦方向に直立した４つの側壁（２ａ、２ｂ）であって、特に前記縁領域内に結合されてない側壁（２ａ、２ｂ）を有するベースプレートを含むことを特徴とする、請求項１〜８のいずれか１項に記載の容器。
【請求項１０】
前記側壁（２ｂ）のうちの１つ、特に、２つの対向する長い側壁（２ｂ）のうちの一方は、他の側壁（２ａ）よりも高い高さ、特に、前記テキスタイル管の折り畳まれた状態における、前記ベース部材（２）の底面と前記蓋部材（３）の頂面との間の高さに実質的に対応する高さを有することを特徴とする、請求項９に記載の容器。
【請求項１１】
前記一方の側壁（２ｂ）は、前記ベース部材（２）が縦向きの場合、前記容器全体の設置支持部を形成することを特徴とする、請求項１０に記載の容器。
【請求項１２】
特に請求項１〜１１のいずれか１項に記載の、送受される包装体又は小包を配達するのに用いる容器であって、該容器は、特に構造上の妨げなく家屋のドア（１）に固定することができ、ベース部材（２）と、郵便物を該容器内に入れるか又は該容器から取り出すことができる蓋部材（３）とを備え、前記ベース部材（２）及び前記蓋部材（３）は、折り畳み可能な側壁（８、１１）によって互いにつながっており、前記蓋部材（３）及び前記ベース部材（２）は、前記側壁（８、１１）を折り畳むか又は少なくとも部分的に展開させることによって、互いに対して特に縦方向に移動可能であり、固定部材（７）、特に、少なくとも１つの厚くなった部分を有するテキスタイルフラップ（７）は、前記ベース部材（２）において関節式に構成されたスイベル部材（６）の上に前記ベース部材（２）において間接的に配置され、ドアリーフとドアフレームとの間又はドアリーフと床との間の空隙内に挿入することができることを特徴とする、容器。
【請求項１３】
前記スイベル部材（６）は、Ｕ字状ブラケット（６）として形成され、前記ベース部材（２）に関節式に固定され、該ブラケット（６）の脚部が前記ベース部材（２）を囲み、特に、長辺及び双方の短辺を囲み、特に、前記固定部材（７）は前記ブラケット（６）において変位することができることを特徴とする、請求項１２に記載の容器。
【請求項１４】
前記ブラケット（６）の前記脚部は、長さを特に入れ子式に調節することができることを特徴とする、請求項１２又は１３に記載の容器。
【請求項１５】
前記ブラケット（Ｂ）の関節部、特に、請求項９に記載の２つの対向する好ましくは短い側壁（２ａ）の関節部の前記回転軸（Ａ）は、前記ベース部材（２）において該ベース部材（２）の幅に対して中心に配置されることを特徴とする、請求項１２〜１４のいずれか１項に記載の容器。
【請求項１６】
前記スイベル部材は、関節式に互いに連結された、好ましくは長さが異なる、複数の好ましくは少なくとも３つの個々のアームから形成され、該アームのうちの１つは、２つの他のアームの端部と関節式に連結することを特徴とする、請求項１２に記載の容器。
【発明の詳細な説明】
【技術分野】
【０００１】
本発明は、送受される包装体又は小包を配達するのに用いる容器であって、容器は、特に構造上の妨げなく家屋のドアに固定することができ、ベース部材と、郵便物を容器に挿入するか又は容器から取り出すことができる蓋部材とを備え、ベース部材及び蓋部材は、折り畳み可能な側壁によって互いにつながっており、蓋部材及びベース部材は、側壁を折り畳むか又は少なくとも部分的に展開させることによって、互いに対して特に縦方向に移動可能である、容器に関する。
【背景技術】
【０００２】
このタイプの容器は例えば、本願出願人による、以前に公開されている特許文献１から既知である。
【０００３】
そのような容器の通常の使用領域は、多くの場合、戸建て若しくはマンション又は包括的には家屋において配置されている通常の郵便ポストに収まらない包装体又は小包を受け取ることが想定されることによるものである。
【０００４】
上述したタイプの容器により、例えば、そのような大きな郵便物を受け取る場合、一時的にかつ場合に応じて家屋において、すなわち、具体的にはドアの領域において、容器を配置することが可能となる。これにより、郵便配達人又は小包配達人が、蓋部材を開いてから、郵便ポストに収まらない郵便物をこの容器に挿入するとともに、その後、容器を再び閉鎖することが可能である。
【０００５】
容器自体は、第三者が取り外すことができないように家屋に固定されるため、強制的な措置は別として、想定される郵便物が不正に盗まれる可能性がない。
【０００６】
そのような容器を固定するために、上述した特許出願は例えば、フラップであって、容器から離れて延びるとともに、厚くなった領域、特に厚くなった端部を有しており、そのため、このフラップを例えばドアとフレームとの間又はドアと床との間の空隙領域を通してガイドすることができ、これにより、フラップの厚くなった領域がマンションの内部に係止し、したがって、ドアを閉じた後でドア領域から引き抜くことができないフラップ、例えば、可撓性のテキスタイル（textile：布地）フラップの使用を教示している。しかしながら、マンション又は戸建ての持ち主は、ドアを開くことにより容器全体を再び移動させることによって、フラップを解放することができる。
【０００７】
包装体又は小包郵便物の考えられ得る受け取りに関して本明細書中で最初に記載したように、当然のことながら、包装体若しくは小包又は他の郵便物を容器に挿入して、それらを、配達人による集配のために戸建て又はマンションのドアの正面に一時的に提供することも可能である。
【０００８】
上述した特許出願は例えば、そのような容器の側壁をベース部材と蓋部材との間に折り畳み可能な様式で伸張させるように設計し、したがって、容器を折り畳み状態と展開状態との間で前後に動かすことを実現させ、そのため、例えば展開させることによって、包装体又は小包が挿入される大きな内部容積をもたらし、その一方で、折り畳まれた状態は、この状態において容積が著しく減少するため、より省スペースとなることを既に教示している。
【０００９】
特に剛性タイプの折り畳み可能な側壁を既に提示している上述した現行の技術水準において、このタイプの容器は実質的に、規定様式の２つの状態、すなわち、容器内に包装体又は小包が配置されない折り畳まれた状態と、包装体又は小包を挿入するために、側壁が展開し、最大容積が容器内で得られる、完全に展開した状態とだけを呈する。しかしながら、全容積を完全には使い切らない、より小さな包装体又は小包が、そのような容器に挿入されることが多く、そのため、上述した既知のタイプの容器は、多くの場合、大きすぎる、特に不必要に大きな容積を有する。
【先行技術文献】
【特許文献】
【００１０】
【特許文献１】独国特許出願公開第１０２０１３００５２３１号
【発明の概要】
【発明が解決しようとする課題】
【００１１】
したがって、本発明の目的は、上述したタイプの容器を、包装体又は小包を収納するように提供される内部容積がそのような包装体及び小包に適合することができることが理想的であるように更に開発することであり、さらに、このタイプの容器を折り畳まれた状態から完全に展開させた状態にだけでなく場合によっては部分的に展開させた状態にも至らしめるように可能性を広げ、そのため、容器は、包装体又は小包の挿入後、その可能な最大容積に比べて、現用の包装体又は小包郵便物を収納するのにちょうど十分なより小さい容積を有する。特に、ここでは、このタイプの容器が、側壁の規定された形状付けにより、所要の内部容積サイズに自動的に調整されるようになっているものとする。
【００１２】
さらにまた、本発明の目的は、特に、最初の未使用状態において、すなわち、包装体又は小包が内部に挿入されていない限り、可能な限り省スペースな様式でドアの正面に適応させることができる上述した一般的なタイプの容器を提供することである。
【課題を解決するための手段】
【００１３】
最初に述べた目的は、上述した一般的なタイプの容器の場合に、折り畳み可能な側壁が、展開状態においてベース部材と蓋部材との間で縦に伸張するテキスタイル管を形成し、この管が水平の矩形断面を有する内部スペースを画定するという点で、本発明に従って解決される。
【００１４】
この設計は、管のテキスタイル設計によって、ベース部材と蓋部材との間での管の折り畳みが、テキスタイル管の最小に圧潰した折り畳みと最大に引き伸ばされた伸張との間にもたらされる、あらゆる考えられ得る中間段階において可能であるという、現行の技術水準に比べて特定の利点を有する。
【００１５】
さらに、テキスタイル管の水平断面が矩形断面であることによって、典型的な包装体又は小包郵便物の通常の矩形又は立方体の断面形状に適合することが理想的である内部容積を画定することが確実となり、そのため、水平方向の管断面と、蓋部材とベース部材との間で完全に得られる管長さとによって、本発明に従った係る容器に挿入することができる最大の包装体又は小包サイズが明確に規定される。
【００１６】
特に、より小さな包装体又は小包が容器に挿入される場合、蓋部材は、蓋を閉じた後で、容器内に配置された郵便物の頂面上に当接することができ、それによって、蓋部材とベース部材との間に延びるテキスタイル管が、圧潰すると同時に折り重なって郵便物を包囲する。したがって、本発明に従った容器の高さは、内部に収納された郵便物よりも僅かに高いにすぎず、そのため、本発明に従った係る容器は、特に複数の住戸（apartments）がある住宅物件におけるマンションドアの正面に、より長い滞留時間の場合であっても必要以上に妨げとならないものとして言及される。
【００１７】
水平方向に好ましくは完全に展開させたテキスタイル管の十分に画定された少なくとも実質的に矩形の断面を得るために、容器の好ましい実施形態は、テキスタイル管がベース部材と蓋部材との間で縦に延びる４つの折り線を有し、これらの折り線により、矩形断面の角部領域が画定され、特に、各折り線は、容器内部に関して外側に面する、好ましくは縫合された折り線縁を有することを提供することができる。
【００１８】
テキスタイル技術における、また、本発明の説明における折り線縁は、互いに向かって折り畳まれた２つの材料面間にもたらされる、テキスタイル材料の折り畳みによる縁を意味し、折り線の周囲に、材料面は、図示の方向にその面の凸状遷移部を有し、その場合、互いに面しない。
【００１９】
本発明の記載において、あらゆる方向が、別段に明記しない限り、容器のベース部材が床上にある、容器の意図される位置決めに更に関しており、そのため、蓋部材は、このベース部材から縦方向に取り外すことができ、したがって、テキスタイル管を完全に展開させることができる。その場合、「内側」及び「外側」という語は、容器の包囲容積に対する位置に関する。
【００２０】
ベース部材と蓋部材との間の上述した縦に延びる折り線により、折り線の両側に延びる、テキスタイル管の側壁のテキスタイル面部分が、約９０度の内角及び約２７０度の外角を囲むようにして、折り畳みが行われることが好ましい。
【００２１】
これにより、より小さい内角が容器の内部に面する。それにより、この水平の矩形断面は、水平の矩形断面を有する角部領域内に構成されている４つの折り線によって明確に画定される。これによって、ここに記載した水平の矩形断面を有する、テキスタイルの側壁の可撓性の設計により、数学的な正確な意味で矩形の水平断面は要求されず、どの場合においても、ここではテキスタイルの可撓性による逸脱が可能である。
【００２２】
特に、折り線縁に対して或る距離を有する縫い目によって垂直に延びる折り線の縫合によって、テキスタイル管がその実質的に矩形の断面設計を恒久的に維持することが保証される、すなわち、そのような容器を長く連続的に使用する場合であっても、折り畳み規定が確保される。
【００２３】
しかしながら、特に、完全に展開させたテキスタイル管による、画定された水平の断面を確保する、この有利な更なる発展形態の場合、容器の完全に折り畳まれた状態において、したがって、蓋部材が原理上、折り畳まれたテキスタイル管に完全に載置され、したがって、ベース部材に間接的に載置される場合、ベース部材に対する蓋部材の位置及び蓋部材の距離が、ベース部材上へ蓋部材が移動する際に、テキスタイル管の折り畳みの様式が制御されないため、規定されないという問題が生じ得る。
【００２４】
したがって、これに比べて更に好ましい設計は、側壁において、好ましくは少なくとも２つの対向する側壁において、更に好ましくは全ての側壁において、更なる折り畳み規定によって、折り畳む際に、テキスタイル管が規定された様式で折り畳まれるという様式の規定を提供することができる。
【００２５】
このため、第１の可能性の更なる発展形態は、少なくとも１つの対の対向する側壁のうちの２つの側壁がそれぞれ、縦方向に外側及び内側に向いた、交互に連続した好ましくは縫合された折り線縁を有する、複数の、特に等間隔に離間した水平に延びる折り線を有することを提供することができる。
【００２６】
外側及び内側に面する、そのような交互構成の折り線縁によって、図示の２つのそれぞれに対向した側壁のいわゆるＬｉｐｏｒｅｌｌｏ折り畳みが達成される。このタイプの折り畳みは、少なくとも、本発明に従った容器の種々の長さを有する側壁のうちの、２つの対向する、より長い側壁により、なすことができることが好ましい。
【００２７】
これにより、蓋部材がベース部材に向かって移動することによって容器の内部容積が減少する際、ジグザグ状に又はコンサーティーナのようにこれらの側壁が折り畳まれることが、規定された様式で行われ得る。ここでは、折り線縁が、折り線縁に対して平行にそれぞれ延びる縫い目による、折り線縁の縫合によって、テキスタイル管がより長く使用される場合であっても、そのままであることも保証される。
【００２８】
本発明に従った容器を完全に展開させた状態において、それぞれの折り線間のテキスタイル側壁の遷移は、少なくともそれぞれの折り線に対して或る距離を有し、これらの折り線が、折り線縁の回りに内側かつ外側に約１８０度の角度を実質的に含むように移る。しかしながら、蓋部材とベース部材との間の距離が縮まる時点で、折り線の位置の規定は、対応する縁が外側又は内側に面する場合、折り線縁の回りに配置されたテキスタイル面領域が、内側又は外側に互いに重なることが実現される。
【００２９】
そのような上述したＬｉｐｏｒｅｌｌｏ折り畳みはまた、２つの他の対向する側壁、したがって、例えば２つの短い側壁により行われ得る。そのような場合では、側壁は全て、縦方向に交互のシーケンスで外側に面する折り線縁を有する水平折り線である。それによって、テキスタイル管のコンサーティーナ式の折り畳みが側壁全てにおいてもたらされ得る。
【００３０】
別の更に好ましい実施形態の設計は、例えば、短い側壁として、第２の対の対向する側壁のうちの２つの他の側壁を有する、すなわち、それぞれ複数の特に等間隔に離間した水平折り線も存在するようにして逸脱する折り畳みタイプを選択することを提供することもできるが、外側に面する好ましくは縫合された折り線縁を有し、これらの側壁のそれぞれは、少なくとも１つの領域、好ましくは縦方向に少なくとも２つの重なる領域を有し、存在する各領域は領域の中心点において、それぞれ内側に面する好ましくは縫合された折り線縁と交差する２つの折り線を有し、これらの２つの折り線も双方とも、水平折り線の中心点と交差する。
【００３１】
内側に面する折り線縁を有する交差する折り線はそれぞれ、合流点から始まることが好ましく、垂直折り線は、その合流点において、互いに対して９０度の角度を有する２つの側壁の、外側に面する折り線縁を有する水平折り線の双方と合流する。伸張は、最初の地点の場合と同様に、同様の折り線の対角線上で対向する合流点に対して、言及した中心点により行われる。
【００３２】
この設計により、蓋部材及びベース部材が互いに接近した際に他の２つの側壁による折り畳みの好ましい様式も規定される。
【００３３】
特に、このタイプの前述した折り畳みには、上述した存在する領域のそれぞれが、中心点の回りに構成される三角形の部分領域に分割されることが規定され、各三角形の部分領域は三角形の頂点がこの中心点と当接する。これにより、中心点は、幾何学的領域の中心、及び、水平折り線の中心、特に、それぞれ外側に面する折り線縁の中心も規定する。
【００３４】
外側折り線縁又は中心を有する水平折り線よりも上及び下に構成される三角形の部分領域は、折り畳み時及びこの折り線の中心点又は領域の内部への移動時にそれらの外側と重なり、同時に、一方の縁もまた垂直折り線に沿って延びる、折り線の回りの両側に配置された、外側の三角形の部分領域が、容器の内部に向かって面するそれらの内側面と重なる。それによって、外側水平折り線縁領域もまた、内側に移動する中心点の両側で互いに向かって移動する。
【００３５】
この実施態様において、特に、前述の実施態様に対する追補として、第１の対の側壁が水平折り線を有する各高さにおいて、第２の対の側壁もまた水平折り線を有することが提供されることが好ましい。
【００３６】
それによって、好ましい更なる発展形態は、上述した領域の各水平折り線（その中心点を通って交差折り線が延びる）が延び、外側に面する折り線縁を有し、９０度で当接する側壁に、同じ高さにおいて、逆折り線縁を有する、すなわち、内側に面する折り線縁を有する折り線が設けられることを提供することができる。
【００３７】
テキスタイル管の折り畳みが最大限に規定されることにより、蓋部材及びベース部材を互いに向かって移動させることによってテキスタイル管を折り畳む際、常に同じ様式の折り畳みが、テキスタイル管、したがって、最大限に折り畳まれた位置での折り畳まれた管における蓋とベース部材とによって達成され、規定された状態は常に、蓋部材を包囲する方向に見ると、ベース部材に対してそれぞれ同じ距離で達成される。
【００３８】
コンパクトな折り畳まれた容器構成により、ベース部材及び蓋部材を互いに対して自身の位置に固定させるとともに、この様式で折り畳まれた容器ユニットを形成するために、ベース部材と蓋部材との間に係止をもたらすことができ、手荷物の形態で個人が容易に運ぶことができる。このため、例えば、フラップを関節式にベース部材に固定させることができ、このフラップは、蓋部材の表面の上に折り畳むことができる。
【００３９】
上述の実施形態の全てと組み合わせることができる実施形態がここで、テキスタイル壁が、Ｋｅｖｌａｒ糸のような耐火性及び耐カット性の糸を含むか、又は少なくとも１つのＫｅｖｌａｒ層を有する複数の層で形成されるか、又は更に好ましい実施態様においてＫｅｖｌａｒから完全に形成されることを提供することができる。一方で、複数の世帯（parties）を有する住宅物件において与えられている防火規定が遵守され、他方で、テキスタイル管を本発明に従った容器の中身を取り出すために簡単にカットすることができないことも保証される。
【００４０】
テキスタイル管と床部材又は蓋部材との間の結合は、本発明に従った種々の実施態様によって行うことができる。
【００４１】
テキスタイル管はその底端部が結合されることにより、例えば、この底端部が、テキスタイル面により、したがって、例えば、床に対して平行に配置されるベース部材の表面により、完全に閉鎖され、この表面が、したがって同様に、例えば、床に対して平行に配置されるベース部材の表面により、例えば、ねじ締め、糊付け又は他の固定手段によって、ベース部材に結合されることを提供することができる。
【００４２】
別の代替的な実施形態は、底面側の管端部が周方向にループを形成することも提供することができ、このループが、フレーム、例えば金属フレーム、例えばアルミニウムの金属フレームに挿入され、このフレームが、例えば、ねじ締め又は同様の手段によって、ベース部材又はベース部材の表面に結合される。
【００４３】
更なる代替的な実施態様は、テキスタイル管がその底端部側にビーディングを有し、好ましくは各側壁が直線に延びる各自のビーディングを有し、ビーディングが、ベース部材に結合されたフレーム状のビーディングレール内に載置されることを提供することもできる。
【００４４】
同じ又は同様の様式で、テキスタイル管がその蓋端側にループを形成し、このループが周方向に延び、このループにおいて、蓋部材に関節式に結合されたフレームが当接すること、又は、側壁が少なくとも１つのビーディングを有し、好ましくは各側壁が各自の真っ直ぐなビーディングを有し、ビーディングが、蓋部材に関節式に結合されたフレーム状のビーディングレール内に載置されることを提供することもできる。
【００４５】
したがって、これらの実施形態の全ての場合、蓋部材を管端部に対して旋回させる、すなわち、蓋部材を開閉させることができるようにするために、蓋部材は、蓋側の管端部に結合されたフレーム若しくはビーディングレール又は別の剛性な構成部に関節式に結合される。特に、蓋部材、フレーム、ビーディングレール又は他の剛性な実施形態の間に、認証された場合にだけ開けることができるロック機構を実現することを提供することもできる。
【００４６】
最初に述べた現行の技術水準におけるように、例えば、通信によってロック及びロック解除することもできるロック機構を提供することができる。
【００４７】
更なる好ましい実施形態は、ベース部材が、その使用目的において、２つがそれぞれ平行である４つの直立した側壁を縦方向に有する、水平のベースプレートを含み、特に、これらの側壁は、角部領域において互いに結合されない様式で形成することができることを提供することができる。ここで、結合が行われる場合、側壁には、ベースプレートにより実質的に閉鎖される窪みが形成される。
【００４８】
角部において閉鎖されるか又は開けられもするこの窪みは、本発明に従った容器の折り畳まれた状態で、少なくとも折り畳まれた管、場合によっては、蓋部材又はフレームのうち管に結合された領域も覆う役割を果たすことができ、さらに、上述したロック機構を、例えば、ベース部材に関節式に固定された剛性フラップによって、上述した側壁のうちの少なくとも２つに設けることができ、これらのフラップは、係る様式でベース部材に対する蓋部材の位置を固定するとともに、折り畳まれた容器のポータブルユニットを形成するために、蓋部材の上側に係止することができる。
【００４９】
更なる発展形態は、側壁のうちの一方、特に相互に対向する長い側壁のうちの一方が、他方の側壁よりも高い高さ、特に、すなわち、テキスタイル管の完全に折り畳まれた状態においてベース部材の下面から蓋部材の上面の間の高さに少なくとも実質的に相応するような高さを有する。特に、この実施態様により、完全に折り畳まれた容器をベース部材又はそのベースプレートの縦向きで設置することができるようにするために、例えば、本発明に従った折り畳まれた容器を、例えば、高層住居建物の玄関ホールにおけるようなドアフレームの正面のスペースに突き出させることなく、包装体を入れる前にドアの正面のドアフレームの奥行に設置するために、設置支持部として、より高い高さ面が備わった側壁を形成することが可能になる。
【００５０】
これにより、配達される包装体又は小包が入るのを待機中の容器が、複数の世帯を有するような戸建ての他の居住者の邪魔にならないことが保証され、特に、退避経路も自由に維持されることが保証される。
【００５１】
設置支持用の側壁を形成するために、例えばゴム又は別のエラストマーのフット部材が側壁の外側に形成されることを更に提供することができる。
【００５２】
本発明に従った容器の剛性の構成部材、特に、ベース部材及び蓋部材は、アルミニウム又は別の軽金属から作製することができることが好ましい。
【００５３】
蓋部材は、好ましい実施態様において、特に、蓋の２つの長辺間又は代替的には蓋の２つの短辺間に延びるとともに、蓋から突出するアーチを形成するハンドル部材を更に有することができる。
【００５４】
郵便配達人は、包装体を容器の展開させたテキスタイル管に挿入するために、本発明に従った容器をそのハンドルで把持し、ベース部材に対して蓋部材を持ち上げ、次に蓋部材を開けることができる。その後、蓋部材を閉じ、容器内に配置された包装体又は小包に被せるとともにテキスタイル管を自動的に折り畳むことができる。
【００５５】
特に、マンション又は戸建てのドアにしっかりと固定する省スペースの実施態様を可能にするために、上述した目的は、ベース部材において、固定部材、特に、少なくとも１つの厚くなった部分を有するテキスタイルフラップがベース部材に関節式に構成されたスイベル部材を介して間接的に配置されることで、上述した一般的な容器を更に発展させるという点で、容器の本発明に従った解決策用の実施態様も提供することができ、このテキスタイルフラップは、ドアリーフとドアフレームとの間又はドアリーフと床との間の空隙に挿入することができる。
【００５６】
固定部材とベース部材との間で関節式に構成されたスイベル部材によって、固定部材をスイベル部材の自由端に設けることができ、この固定部材は、ベース部材に関節式に結合された端部に対向して位置し、そのため、本発明に従った容器の配置位置、したがって、ベース部材の床面又はベース部材のうち設置支持としての役割を果たす側面における配置とは無関係に、スイベル部材の自由端は常に、その上に配置される固定部材、特にテキスタイルフラップを、ドア空隙、ドア空隙とフレームとの間又はドアリーフと床との間に導入するために、ドアの近くに配置することができることが保証される。
【００５７】
包装体の配達用の包装体キャリアにより容器をひっくり返し、設置支持部としての側面を基底に直立させ、包装体の配達のために９０度だけドアフレームの奥行に配置することができる。すなわち、ベース部材の床面上に配置することができる。その場合、スイベル部材を、ベース部材におけるその関節固定位置の回りに旋回させ、その後、包装体を入れるのに適正に配置された容器を展開させて開き、包装体を入れ、容器を閉じ、場合によっては再び部分的に折り畳む。
【００５８】
好ましい更なる発展形態は、スイベル部材がＵ字状ブラケットとして設計され、このＵ字状ブラケットはその脚端部が、例えばベースプレートから９０度で床面に延びる２つの対向する側壁において、例えば短い側壁において、関節式にベース部材に固定されることを提供することができる。
【００５９】
ここで実施態様は、このブラケットがベース部材を少なくとも部分的に包囲し、特に、上述したテキスタイルフラップのように、そのベースが完全に包囲されるベース部材の１つの長辺と、その脚部が少なくとも部分的に包囲される２つの短辺とが、ブラケットにおいて変位可能に配置されることができることを提供する。
【００６０】
したがって、この固定部材は例えば、本発明に従った容器をドアフレームにおいてどのように位置決めすべきか、また、ドア空隙内のどこに固定部材の固定を行うべきかに応じて、ブラケットのベース領域から脚部領域内に変位することができる。さらに、更に提供される有用な実施態様は、ブラケットの脚部の長さを調節することができ、ブラケットの脚部は例えば入れ子であることを提供することもできる。
【００６１】
ブラケットの関節部の回転軸は、好ましい実施態様において、その幅に対して中心に配置することができ、特に、最初に述べたように、関節部は、幅に対して中心に、場合によってはその高さに対して中心に、２つの対向する側壁、好ましくは短い側壁において作製することができる。
【００６２】
別の実施形態は、スイベル部材が、互いに関節式に連結された複数の好ましくは少なくとも３つの個々のアームから形成され、これらのアームは種々の長さを有することが好ましく、これらのアームのうちの１つが他の２つのアームの端部に関節式に連結することを提供することもできる。特に、２つのアーム端部を有するアームのこの積み重なりが容器の床に対して或る距離のところで同時に固定される場合、この多アーム構成の移動可能端部の規定された強制ガイド、固定部材、特にテキスタイルストラップは、そのように確実に駆動される端部において配置することができる。
【００６３】
種々の上述した形態により任意選択的に提供されるそのようなテキスタイルフラップは、少なくとも１つの厚くなった部分を有することができる。したがって、複数の離間した厚くなった部分が同時に提供される場合、内部に複数の厚くなった部分のうちの１つ又は複数を配置することが可能であり、それにより、ドアに対する容器の距離が規定される。
【００６４】
いくつかの厚くなった部分がフラップに同時に配置されない場合は、テキスタイルフラップがいくつかの開口を有し、これらの開口内に係止部材を挿入することができ、これにより、そのような係止部材をドアとフレームとの間又はドアと床との間の空隙領域を通して引き出すことができないようにフラップの上述した厚くなった部分が形成されることを提供することもできる。したがって、そのような停止部材は、フラップの長さに基づいて内部の種々のフラップ位置に配置することができる。
【図面の簡単な説明】
【００６５】
【図１】家屋のドアの正面における意図された位置での完全に折り畳まれた状態にある容器を示す。
【図２】図１の容器の一実施形態を示す。
【図３】図２においてまだ完全に展開していない状態の長辺の断面図を示す。
【発明を実施するための形態】
【００６６】
本発明の好ましい実施形態が以下の図面に記載されている。
【００６７】
図１は、家屋のドア１の正面における意図された位置での、すなわち、ベース部材２のベース面がドアの正面において床上に載置される位置において、完全に折り畳まれた状態にある、本発明に従った上述のタイプの或る設計の容器を示す。
【００６８】
ここでは、ベース部材が、２つの側壁部分２ａ及び２ｂを見てとることができるとともにさらにそれらの２つの側壁部分は角部が互いとつながっていない、ベース面すなわちベースプレートから垂直に直立するいくつかの側壁領域を有することを見てとることができる。
【００６９】
ベース部材２の長辺に配された側壁２ｂは、他の辺、特に、ベース部材２の底面と蓋３の頂面との間の、容器の折り畳まれた状態の高さに相応する高さよりも高い高さを有する。ハンドル４の高さだけが、側壁２ｂのこの高さを越えて突出する。
【００７０】
側壁２ｂはフット部材５を有しており、そのため、この側壁を基底にして、折り畳まれた容器を立てることもでき、その場合、フット部材は、例えばドアフレームの奥行Ｔにおいて９０度だけ回動させて配置されるフット面として働くことを更に見てとることができる。
【００７１】
この図はさらに、底面から垂直に延びる２つの短い対向する側壁２ａにおいて、ブラケット６が、ベース部材２の幅に対して中央配置された回転軸Ａ回りに関節式に固定されることを示す。
【００７２】
したがって、ブラケット６は、容器の長辺と２つの対向する短辺をおよそ半分だけ完全に包囲する。ここでは、固定部材７がブラケット６のベースに配置されており、この固定部材７は、ドアリーフとマンション内部の内部につながる床との間の空隙を通って延び、厚くなった部分を有しており、そのため、固定部材７が空隙領域を通って外側に引っ張られる可能性がなく、それによって、本発明に従った容器が局所的に固定される。
【００７３】
したがって、軸Ａを中心としたブラケット６の旋回によって、ここに示されている折り畳まれた状態の本発明に従った容器を、示した位置に対して垂直に、フット面２ｂを基底にして配置することも可能であり、その場合、ベース部材２に対してブラケットを旋回させることにより、ブラケット６のベースが実質的に床の近くに留まり、したがって固定部材７の位置決めが何らかの変化を受けることはない。したがって、本発明に従った容器を、局所的に固定された考えられ得る位置のいずれにももたらすことができる。
【００７４】
ここで、図２が、本発明に従った容器、特に図１の容器の一実施形態を示し、蓋部材３がベース部材２から離隔しており、蓋部材３とベース部材２との間に配置されたテキスタイル管が折り畳まれていない。
【００７５】
このため、図１に関して、蓋部材３をベース部材に固定するフラップ９が外されており、すなわち側辺に回動されており、そのため、蓋部材が露出しており、ハンドル４において縦方向に上に引っ張ることができる。このようにして、断面が矩形のテキスタイル管が、蓋部材とベース部材との間で展開する。これに関して、特別の折り畳み規定を以下でより詳細に説明する。
【００７６】
図２において、特に、まだ完全に展開していない状態の長辺の断面図を示す更なる図３に関しても、テキスタイル管の長辺８が等間隔の複数の水平折り線９を有することを見てとることができる。
【００７７】
縦方向において、容器の内部を基準に折り線縁９が内側又は外側に交互に配向される。すなわち、相互に折り畳まれたテキスタイル面の凸状の丸みのある遷移部が内側又は外側に交互に位置付けられる。折り線９ａに関して折り線縁は外側にあり、折り線９ｂに関して折り線縁は内側にある。
【００７８】
さらに、図３の断面図において、好ましい実施形態では、各折り線９は、折り線縁に対して或る距離で縫い目１０によってともに縫い合わされることが示されている。示されている縫い目１０による縫合は、これによって、重なるテキスタイル面がともに縫い合わされることを意味する。
【００７９】
ここに示されている図３に従った実施形態は、テキスタイル側壁を例えば視覚的なデザインを規定する外層と機能的な内層とによる２つの層に形成することができ、それにより、例えば耐火性又は耐カット性を確保することができることも好ましいことが断面図で更に示されている。任意選択的に、単一のテキスタイル材料層が単独でこれらの機能を組み合わせることもできる。
【００８０】
テキスタイル管は、ベース部材（図３には示さず）につながることができる底面側のテキスタイル面８ａによって閉鎖される。一方、上側には、材料管が周フラップ８ｂを形成しており、この周フラップ８ｂ内に、蓋部材のフレーム１１が当接することができる。蓋部材の蓋は例えばこのフレームに関節式に連結される。
【００８１】
したがって、ジグザグ折り畳み又はＬｉｐｏｒｅｌｌｏ折り畳みに対応する、図３に示されている折り畳みによって、規定された折り畳み層が、展開時に、また、特に折り畳み時に達成される。
【００８２】
このタイプの折り畳みは、２つの側壁８において、側壁１１に対して９０度で実現することもできるが、他の２つの側壁１１の更に好ましい折り畳みタイプを下記で説明する。
【００８３】
図２はまた、短い側壁１１が長い側壁８に９０度の角度で当接している特殊規定の折り畳みの斜視図を示す。ここでは、側壁８と同じ高さ位置において、側壁８に対して９０度の側壁１１は、水平方向に折り線１２を有し、これらの折り線１２がさらに、等間隔であり、全ての外側折り線縁を有する。すなわち、折り畳まれたテキスタイル面が互いに移行する凸湾曲が外側に面しており、ここでは、矩形断面を画定する、垂直に延びる折り線１３の場合と同様に、点線と実線との組合せによって図示されている。
【００８４】
２つのそのような折り線１２と中間の更なる折り線１２によって、各場合に或る領域が画定され、この領域は、水平折り線１２又は形成された領域の中心点１２ａにおいて互いに交差し、領域の角部からそれぞれ始まっている更なる折り線１４を有する。水平折り線１２の中心点１２ａにおいて交差するこれらの折り線１４は、内向き折り線縁を有し、ここでは単純な実線によって視覚化されている。
【００８５】
これによって、そのような画定領域（図２の画定領域は２つの重なる領域を有する）のそれぞれにおいて、三角形の６つの部分領域Ｄ１〜Ｄ６が画定されており、これらの部分領域Ｄ１〜Ｄ６により規定の折り畳み、すなわち、折り畳む際にそのような領域の中心点１２ａが、容器の内部を基準に、容器内へ移動するようにして可能となり、三角形面Ｄ１〜Ｄ３又はＤ４〜Ｄ６はその外側が重なり、したがって、三角形の面対Ｄ１及びＤ２、Ｄ２及びＤ３、Ｄ４及びＤ５並びにＤ５及びＤ６の外側が互いに接触する。中心点１２ａを有する折り線１２の両側にある、自身の辺のうち垂直折り線１３と一致する辺を同時に有する三角形面Ｄ１及びＤ４並びにＤ３及びＤ６はその内側が重なる。
【００８６】
縫合された折り線縁を有することが好ましいこのタイプの折り線を設けることにより、折り畳み時にテキスタイル管がどのような状態をとるかが所定のやり方で明確に規定される。したがって、繰り返し再現することができる同じ折り畳み状態がもたらされる。
【００８７】
図２から、蓋部材３がそのハンドル４において作動部材１５を有し、この作動部材１５により蓋を取り外すことができることが更に見られる。例えば、包装体を挿入する前では、そのような取外しを随時行うことができるが、包装体を挿入した後では、例えば、蓋部材３の受信素子に例えばテキストメッセージ又はＥメールとして通信を送ることによって取り外される必要がある。したがって、例えば、そのような蓋部材３は、作動部材１５の作動に関して、アプリケーション制御によって解除又はブロックすることができることを提供することができる。
【００８８】
当然のことながら、蓋部材を従来の方式でキーによりロックした後で蓋部材を開くことができる可能性もあり得る。
【図１】
2016055170.tif 000003
【図２】
2016055170.tif 000004
【図３】
2016055170.tif 000005
【外国語明細書】
2016055170.tif 000006
2016055170.tif 000007
2016055170.tif 000008
2016055170.tif 000009
2016055170.tif 000010
2016055170.tif 000011
2016055170.tif 000012
2016055170.tif 000013
2016055170.tif 000014
2016055170.tif 000015
2016055170.tif 000016
2016055170.tif 000017
2016055170.tif 000018
2016055170.tif 000019
2016055170.tif 000020
2016055170.tif 000021
2016055170.tif 000022
2016055170.tif 000023
2016055170.tif 000024
2016055170.tif 000025
2016055170.tif 000026
2016055170.tif 000027
2016055170.tif 000028
2016055170.tif 000029
2016055170.tif 000030
2016055170.tif 000031